(57)【特許請求の範囲】
【請求項１】
少なくとも一方の端面に凹部を有する実質的に円柱状の物品を収納する包装用容器において、
第１容器壁と、この第１容器壁に第１折目線を介して連結された傾斜壁と、この傾斜壁に第２折目線を介して連結された第２容器壁と、前記物品の一方の端部を受け入れるために前記傾斜壁に形成された開口と、前記凹部の内周面に係合させるために前記開口の縁に突設されてその開口内に臨む保持タブとを備えており、
前記保持タブは、前記保持タブを前記凹部の内周面に密接させるための第３折目線を介して前記第２容器壁と連結されており、ブランクの状態において、前記保持タブの先端縁は、前記第１折目線と前記第２折目線との間であって、前記開口内における前記第１折目線の一直線状の仮想延長線から所定の間隔を空けた位置に配され、
前記ブランクが組み立てられることにより、前記第１容器壁は、前記第２容器壁に対してほぼ直交する角度で配され、前記保持タブは、前記物品の凹部に嵌合されるために前記第３折目線に沿って内側に折曲されるようになっていることを特徴とする包装用容器。
【請求項２】
上下両端面に各々凹部を有する実質的に円柱状の物品を収納する包装用容器において、
底壁と、この底壁に第２折目線を介して折り曲げ自在に連結された第１傾斜壁と、この第１傾斜壁に第１折目線を介して折り曲げ自在に連結された側壁と、この側壁に第４折目線を介して折り曲げ自在に連結された第２傾斜壁と、この第２傾斜壁に第５折目線を介して折り曲げ自在に連結された頂壁と、前記物品の下端部を受け入れるために前記第１傾斜壁に形成された第１開口と、前記物品の下端面の凹部の内周面に係合させるために前記第１開口の縁に突設されて第１開口内に臨む第１保持タブと、前記物品の上端面の凹部の内周面に係合させるために前記第２傾斜壁から少なくとも一部が形成された第２保持タブとを備えており、
前記第１保持タブは、その保持タブを前記下端面の凹部の内周面に密接させるための第３折目線を介して折り曲げ自在に前記底壁と連結されており、ブランクの状態において、前記第１保持タブの先端縁は、前記第１折目線と前記第２折目線との間であって、前記第１開口内における前記第１折目線の一直線状の仮想延長線から所定の間隔を空けた位置に配され、前記ブランクが組み立てられることにより、前記第１保持タブは、前記物品の下端面の凹部に嵌合されるために内側に折曲されるようになっており、
また、前記第２保持タブは、その保持タブを前記上端面の凹部の内周面に密接させるための第６折目線を介して折り曲げ自在に前記頂壁と連結されており、ブランクの状態において、前記第２保持タブの先端縁は、前記第４折目線と前記第５折目線との間であって、前記第５折目線の一直線状の仮想延長線から所定の間隔を空けた位置に配され、前記ブランクが組み立てられることにより、前記第２保持タブは、前記物品の上端面の凹部に嵌合されるために内側に折曲されるようになっていることを特徴とする包装用容器。
【発明の詳細な説明】
【０００１】
【発明の属する技術分野】
本発明は、物品を収納するいわゆる両端開放型の包装用容器に係り、特に、少なくとも一方の外端面に内周面を備えた凹部が形成されている缶のような物品を安定性よく収納することができる包装用容器に関する。
【０００２】
【従来の技術】
前述した両端開放型の包装用容器は、厚紙のようなブランクから形成されるものであり、その構成は、底壁と、この底壁に連設され相互に対向位置をとる２枚の側壁と、各側壁に連設される頂壁とを有し、両端にはそれぞれ開口が形成されている。このような両端開放型の包装用容器は、ブランク材料を節約するために好適であるが、両端開口を有しているため、内部に収納した物品を保持するための構成を具備しなければならない。
【０００３】
このため、従来の両端開放型の包装用容器は、頂壁と各側壁との連接部に形成され内部に収納する各物品の上端部が嵌合しうる開口（トップカット）と、各側壁と底壁との連接部に形成され内部に収納する各物品の下端部が嵌合しうる開口（ボトムカット）とを有しており、これらの両開口に内部に収納する各物品の上端部と下端部を嵌合させて物品を保持するようにしていた。
【０００４】
【発明が解決しようとする課題】
しかしながら、前述した従来の包装用容器においては、物品の重量が重い場合、物品の上端部と下端部を開口に嵌合させて保持するだけでは、物品に衝撃などが加わった場合に、物品が包装用容器の両端開口の一方から脱落してしまうおそれがあった。
【０００５】
本発明は、このような従来のものにおける問題点を克服し、重量が重い物品であっても安定性よく収納することのできる包装用容器を提供することを目的とする。
【０００６】
【課題を解決するための手段】
前述した目的を達成するため請求項１に記載の本発明の包装用容器の特徴は、少なくとも一方の端面に凹部を有する実質的に円柱状の物品を収納する包装用容器において、第１容器壁と、この第１容器壁に第１折目線を介して連結された傾斜壁と、この傾斜壁に第２折目線を介して連結された第２容器壁と、前記物品の一方の端部を受け入れるために前記傾斜壁に形成された開口と、前記凹部の内周面に係合させるために前記開口の縁に突設されてその開口内に臨む保持タブとを備えており、前記保持タブは、前記保持タブを前記凹部の内周面に密接させるための第３折目線を介して前記第２容器壁と連結されており、ブランクの状態において、前記保持タブの先端縁は、前記第１折目線と前記第２折目線との間であって、前記開口内における前記第１折目線の一直線状の仮想延長線から所定の間隔を空けた位置に配され、前記ブランクが組み立てられることにより、前記第１容器壁は、前記第２容器壁に対してほぼ直交する角度で配され、前記保持タブは、前記物品の凹部に嵌合されるために前記第３折目線に沿って内側に折曲されるようになっている点にある。そして、このような構成を採用したことにより、保持タブが収納した物品の端面の凹部内に嵌合することになるので、物品に衝撃などが加わっても物品が包装用容器の両端開口の一方から脱落してしまうことなく、物品を安定的に保持することができる。
【０００７】
また、保持タブが物品の凹部の内周面に沿うように変形するので、物品をさらに安定的に保持することができる。
【０００８】
請求項２に記載の本発明の包装用容器の特徴は、上下両端面に各々凹部を有する実質的に円柱状の物品を収納する包装用容器において、底壁と、この底壁に第２折目線を介して折り曲げ自在に連結された第１傾斜壁と、この第１傾斜壁に第１折目線を介して折り曲げ自在に連結された側壁と、この側壁に第４折目線を介して折り曲げ自在に連結された第２傾斜壁と、この第２傾斜壁に第５折目線を介して折り曲げ自在に連結された頂壁と、前記物品の下端部を受け入れるために前記第１傾斜壁に形成された第１開口と、前記物品の下端面の凹部の内周面に係合させるために前記第１開口の縁に突設されて第１開口内に臨む第１保持タブと、前記物品の上端面の凹部の内周面に係合させるために前記第２傾斜壁から少なくとも一部が形成された第２保持タブとを備えており、前記第１保持タブは、その保持タブを前記下端面の凹部の内周面に密接させるための第３折目線を介して折り曲げ自在に前記底壁と連結されており、ブランクの状態において、前記第１保持タブの先端縁は、前記第１折目線と前記第２折目線との間であって、前記第１開口内における前記第１折目線の一直線状の仮想延長線から所定の間隔を空けた位置に配され、前記ブランクが組み立てられることにより、前記第１保持タブは、前記物品の下端面の凹部に嵌合されるために内側に折曲されるようになっており、また、前記第２保持タブは、その保持タブを前記上端面の凹部の内周面に密接させるための第６折目線を介して折り曲げ自在に前記頂壁と連結されており、ブランクの状態において、前記第２保持タブの先端縁は、前記第４折目線と前記第５折目線との間であって、前記第５折目線の一直線状の仮想延長線から所定の間隔を空けた位置に配され、前記ブランクが組み立てられることにより、前記第２保持タブは、前記物品の上端面の凹部に嵌合されるために内側に折曲されるようになっている点にある。そして、このような構成を採用したことにより、保持タブが収納した物品の両端面の各々の凹部内に嵌合することになるので、物品に衝撃などが加わっても物品が包装用容器の両端開口の一方から脱落してしまうことなく、物品を安定的に保持することができる。
【０００９】
また、第１保持タブが第３折目線を介して折曲されることにより物品の下端面の凹部の内周面に沿うように変形するとともに、第２保持タブが第６折目線を介して折曲されることにより物品の上端面の凹部の内周面に沿うように変形するので、物品をさらに安定的に保持することができる。
【００１０】
【発明の実施の形態】
図３は本発明の第１実施形態の包装用容器を形成するためのブランクを示すものであり、このブランク２は、一例として長方形をなす厚紙により形成されているが、プラスチックシートその他の材料により形成することも可能である。
【００１１】
本実施形態において前記ブランク２は、６個の同一形状の物品を３個ずつ２列に包装しうるような寸法を有している。そして、このブランク２は、その長手方向の中央部に細長い長方形状の頂壁３を有しており、この頂壁３の両側縁には、側壁７の一部をなし、幅方向に細長く、かつ組立状態において傾斜配置される上隅壁５，５がそれぞれ折目線４を介して連設されている。また、各上隅壁５の前記頂壁３と反対側の縁には、それぞれ折目線６を介して側壁７が連設されている。なお、包装される物品の形状によっては前記上隅壁５を設けることなく、前記頂壁３と前記各側壁７とを直接連接してもよい。
【００１２】
さらに、各側壁７の前記各上隅壁５と反対側の縁には、各側壁７の一部をなし、幅方向に細長く、かつ組立状態において傾斜配置される下隅壁９がそれぞれ折目線８を介して連設されている。また、前記各下隅壁９の前記各側壁７と反対側の縁には、それぞれ折目線１０を介して底壁１１Ａ，１１Ｂが連設されており、これらの底壁１１Ａ，１１Ｂは、包装用容器２を組み立てると前記頂壁３に対向する１枚の底壁１１を構成することになる。
【００１３】
前記頂壁３には、一部をこの頂壁３と連接され、それぞれ指挿入開口１３を形成する１対の折曲片１２，１２が配設されている。また、ブランク２の長手方向と直交する頂壁３の長手方向に沿って開封用切断片１４が形成されている。
【００１４】
前記頂壁３から各上隅壁５にかけてブランク２から包装用容器１を形成したときに各物品の上端部が対向する位置には、物品の上端部が嵌合する開口１６を形成する合計６個のほぼコ字状の切込み線１５，１５…が形成されており、また、各切込み線１５の中間位置からは前記各上隅壁５を物品の圧力により外側に膨出可能にするための１対の膨出用切込み線１７，１７が左右対称かつ傾斜状に形成されている。
【００１５】
前記各側壁７の下端部の包装用容器１を形成したときに各物品の下端部が対向する位置には、先端がほぼ前記各側壁７と各下隅壁９とを区画する折目線８に到達する円弧状の切込み線１８が形成されている。また、各切込み線１８の中間位置からは、前記各下隅壁９と各底壁１１Ａ，１１Ｂとを区画する折目線１０に向かって延びる「く」字状の１対の切込み線１９，１９が左右対称に形成されており、両切込み線１９，１９は、前記折目線８の位置において最大の間隔を有するようになっている。さらに、前記各下隅壁９と各底壁１１Ａ，１１Ｂとを区画する折目線１０の近傍には、１個の物品に対応する２本の切込み線１９，１９間に延びるほぼ長方形状の保持タブ２０を形成するほぼ「コ」字状の切込み線２１が形成されている。
【００１６】
前記各切込み線１８，１９，１９，２１により囲まれた部分に物品の下端部が嵌合する開口２２が形成されることになり、この開口２２内に保持タブ２０が臨むことになる。この保持タブ２０は、物品の下端面の凹部の内周面に係合するものであり、各保持タブ２０を前記各底壁１１Ａ，１１Ｂに連結する折目線１０Ａは、底壁１１Ａ，１１Ｂ側に膨出する円弧状に形成されている。この円弧状の折目線１０Ａと保持タブ２０の先端縁との距離は折目線１０Ａの長さ方向の中点において最大となることが好ましい。また、前記各保持タブ２０の先端縁は、各下隅壁９，９の境界を形成する折目線８と折目線１０の間に位置している。これは、凹部の内周が物品の外周より実質的に小さい場合に凹部への保持タブ２０の係合を安定的に行うために有効である。さらに、前記各保持タブ２０の両先端隅部には、物品の凹部の内周面に沿わせるために先端隅部をほぼ三角形状に折曲するための傾斜状の折目線２３がそれぞれ形成されている。
【００１７】
前記一方の底壁１１Ａには、その幅方向に間隔を隔てて４個の「きのこ」状をなす連結タブ２４，２４…がそれぞれ切込み線２５により形成されており、前記他方の底壁１１Ｂの前記各連結タブ２４に対応する位置には、長方形状のタブ嵌合開口２６がそれぞれ切込み線２７により形成されている。
【００１８】
つぎに、前述した図３のブランク２から図１の包装用容器１を組立てる手順について説明する。
【００１９】
まず、ブランク２の頂壁３上に図示しない６個の物品を整列させておき、これらの物品の外周面にブランク２の両側壁７，７を沿わせるようにして各物品の上端部をブランク２の各上隅壁５に形成されている各開口１６に嵌合させる。ついで、ブランク２の各底壁１１Ａ，１１Ｂを各折目線１０に沿って各下隅壁９から外側に折曲させるようにして各物品の下端面の凹部に対応する各保持タブ２０を嵌合し、その後、各物品の下端面の凹部に各保持タブ２０を嵌合した状態を保持したうえで、各底壁１１Ａ，１１Ｂを各折目線１０に沿って内側に折曲する。そして、一方の底壁１１Ａを他方の底壁１１Ｂに重ね合わせ、底壁１１Ａの各連結タブ２４を他の底壁１１Ｂの各タブ嵌合開口２７内に嵌合して包装用容器１とする。
【００２０】
このようにして６個の物品Ａを収納した包装用容器１は、各物品Ａの上端部が前述したように各上隅壁５に形成されている開口１６に嵌合されているばかりでなく、各物品Ａの下端部が各側壁７から各下隅壁９にかけて形成されている開口２２に嵌合されており、さらに、開口２２内に臨んでいた各保持タブ２０が、図２に示すように物品Ａの下端面の凹部Ｂ内に嵌合し、このときこの各保持タブ２０は、円弧状の折目線１１Ａに沿って折曲されているので、ブランク２の材料の弾性により凹部Ｂの内周面に圧接することになる。また、各保持タブ２０の両先端隅部には折目線２３が形成されているので、保持タブ２０は物品Ａの凹部Ｂの内周面に安定的に沿うことになる。
【００２１】
この結果、包装用容器１は、収納している物品Ａに衝撃が加えられても、各保持タブ２０が対応する物品Ａを安定的に保持しているので、包装用容器１の両端開口のいずれかから物品Ａが脱落するおそれがなく、重量が重い物品であっても安定性よく収納することができる。
【００２２】
図６は本発明の第２実施形態の包装用容器を形成するためのブランクを示すものであるが、図３において説明した第１実施形態のブランク２と異なる構成のみについて説明し、同一ないし相当する構成については図面中に同一の符号を付すのみとする。
【００２３】
この第２実施形態のブランク２′においては、頂壁３から第２傾斜壁をなす各上隅壁５にかけてブランク２から包装用容器１′を形成したときに各物品の上端部が対向する位置に、物品の上端部が嵌合する開口１６を形成する合計６個のほぼコ字状の切込み線１５，１５…が形成されているが、このうち、包装用容器１′の両端開口３０に対向する位置にある物品の上端部が嵌合される４つの開口１６内に臨むように前述した第１実施形態と同様の保持タブ３１がそれぞれ頂壁３の先端部に折目線３２を介して形成されている。各保持タブ３１の両先端隅部には、物品の上端面の凹部の内周面に沿わせるために先端隅部をほぼ三角形状に折曲するためのの傾斜状の折目線３３がそれぞれ形成されている。
【００２４】
なお、側壁７の下端部から第１傾斜壁をなす下隅壁９にかけて物品の下端面の凹部内に嵌合する保持タブ２０が形成されているのは、前述した第１実施形態と同様である。
【００２５】
このような構成の図６のブランク２′から図４に示す包装用容器１′を形成して、物品Ａを収納すると、各保持タブ２０が各物品Ａの下端面の凹部に嵌合するばかりでなく、図５に示すように、包装用容器１′の各端開口３０に対向している物品Ａの上端面の凹部内に保持タブ３１が折曲されて嵌合することになるので、さらに安定的に物品Ａを保持することができる。
【００２６】
なお、保持タブ３１は、物品Ａの上端面の凹部Ｃの内周面に沿うように折目線３２に沿ってほぼ直角に折曲してもよいし、凹部Ｃ底面に圧接するように１８０度に近く折曲させてもよい。また、前記保持タブ３１の形状を第１実施形態の保持タブ２０と同様に構成してもよい。
【００２７】
なお、本発明は、前述した実施の形態に限定されるものではなく、必要に応じて種々の変更が可能である。例えば、図１から図３に示した本発明の第１実施形態においては、傾斜壁が下隅壁とされ、保持タブが物品の下端面の凹部内に係合するように説明したが、傾斜壁を上隅壁とし、保持タブが物品の上端面の凹部内に係合するようにしてもよい。
【００２８】
【発明の効果】
以上説明したように本発明によれば、重量が重い物品であっても安定性よく収納することのできる。
【００２９】
すなわち、第１容器壁と、この第１容器壁に第１折目線を介して連結された傾斜壁と、この傾斜壁に第２折目線を介して連結された第２容器壁と、物品の一方の端部を受け入れるために前記傾斜壁に形成された開口と、物品端面の凹部の内周面に係合させるために前記開口の縁に突設されてその開口内に臨む保持タブとを備えており、前記第１容器壁は前記第２容器壁に対してほぼ直交する角度で配され、前記保持タブの先端縁は前記第１折目線と前記第２折目線の間に配されており、間隙が前記保持タブの先端縁と前記第１折目線との間に形成されており、前記保持タブは、第３折目線を介して前記第２容器壁と連結され、前記物品の凹部に嵌合されるために前記第３折目線に沿って内側に折曲されるようになっているので、物品に衝撃などが加わっても物品が包装用容器の両端開口の一方から脱落してしまうことなく、物品を安定的に保持することができる。
【００３０】
また、保持タブを物品の凹部の内周面に密接させるための折目線を保持タブに形成したことにより、保持タブが物品の凹部の内周面に沿うように変形するので、物品をさらに安定的に保持することができる。
【００３１】
さらに、底壁と、この底壁に折り曲げ自在に連結された第１傾斜壁と、この第１傾斜壁に折り曲げ自在に連結された側壁と、この側壁に折り曲げ自在に連結された第２傾斜壁と、この第２傾斜壁に折り曲げ自在に連結された頂壁と、前記物品の下端部を受け入れるために前記第１傾斜壁に形成された第１開口と、前記物品の下端面の凹部の内周面に係合させるために前記第１開口の縁に突設されて第１開口内に臨む第１保持タブと、前記物品の上端部を受け入れるために前記第２傾斜壁に形成された第２開口と、前記物品の上端面の凹部の内周面に係合させるために前記第２開口の縁に突設されて第２開口内に臨む第２保持タブとを備えており、前記第１保持タブは、折り曲げ自在に前記底壁と連結され、前記物品の下端面の凹部に嵌合されるために内側に折曲されるようになっており、また、前記第２保持タブは、折り曲げ自在に前記頂壁と連結され、前記物品の上端面の凹部に嵌合されるために内側に折曲されるようになっているので、物品に衝撃などが加わっても物品が包装用容器の両端開口の一方から脱落してしまうことなく、物品を安定的に保持することができる。
【００３２】
さらにまた、第１保持タブと第２保持タブに、その保持タブをこれに対応する物品の凹部の内周面に密接させるための折目線を形成したことにより、保持タブが物品の凹部の内周面に沿うように変形するので、物品をさらに安定的に保持することができる。
【図面の簡単な説明】
【図１】  本発明に係る包装用容器の第１実施形態を示す斜視図
【図２】  図１の要部の下方からの斜視図
【図３】  図１の包装用容器のブランクの平面図
【図４】  本発明に係る包装用容器の第２実施形態を示す斜視図
【図５】  図４の要部の上方からの斜視図
【図６】  図４の包装用容器のブランクの平面図
【符号の説明】
１，１′  包装用容器
２，２′  ブランク
３  頂壁
５  上隅壁
７  側壁
９  下隅壁
１１，１１Ａ，１１Ｂ  底壁
１６，２２  開口
２０，３１  保持タブ
【図１】
0004505061.tif 000002
【図２】
0004505061.tif 000003
【図３】
0004505061.tif 000004
【図４】
0004505061.tif 000005
【図５】
0004505061.tif 000006
【図６】
0004505061.tif 000007